Podtech/llm-jp-corpus-v4-ja_patent huggingface dataset:
(57)【要約】【課題】  ハンガー本体の中央の支点より折りたたんでも、洗濯バサミが絡み合う事の無いハンガーを提供する。【解決手段】  つまみ部に、絡み防止用のガードを持つ構造の、洗濯バサミを使用するハンガー。【選択図】  図２
2006341053.tif 000002
【特許請求の範囲】
【請求項１】
洗濯バサミのつまみ部に、絡み防止用のガードを持つ構造の洗濯バサミを使用する、絡み防止機能洗濯バサミ付きハンガー。
【発明の詳細な説明】
【技術分野】
【０００１】  本発明は、つまみ部に絡み防止用のガードを持つ構造の、洗濯バサミを使用する絡み防止機能洗濯バサミ付きハンガーに関するものである。
【背景技術】
【０００２】  従来、折りたたみ式の物干しハンガーは、使用後は中央より折りたたんで収納していた。
【発明の開示】
【発明が解決しようとする課題】
【０００３】  そのために、次のような問題点があった。
開閉の都度、洗濯バサミが互いに絡み合い外れなくなる欠点があった。又、洗濯バサミの数が多いと絡みつく回数も多く、わずらわしく手間がかかった。
本発明は上記の問題点を解決するためのものである。
【課題を解決するための手段】
【０００４】  洗濯バサミのつまみ部に、絡みを防止するためのガードを設けてあるのを特徴とする、洗濯バサミ付きハンガーである。
【発明の効果】
【０００５】  絡みを防止するためのガードを付ける事によって、ハンガーの開閉時、洗濯バサミ同士で絡み合う事がないので、素早く効率良く作業ができる。
【発明を実施するための最良の形態】
【０００６】  以下、本発明の実施の形態を説明する。
（イ）  洗濯バサミ（３）のつまみ部（６）に、細いピアノ線でガード（４）をつくり          取り付ける。
（ロ）  ガード（４）のコイル部（７）の内側に、吊りヒモ（２）を通してハンガー本          体（１）に取り付ける。
本発明は以上のような構造で、従来の洗濯バサミと同様、つまみ部（６）をつまんで使  用する。
【図面の簡単な説明】
【０００７】  〔図１〕本発明の使用状態を示した斜視図
〔図２〕本発明の斜視図
〔図３〕絡み合って外れなくなった時の状態を示した斜視図
【符号の説明】
【０００８】  １  ハンガー本体
２  吊りヒモ
３  洗濯バサミ
４  ガード
５  支点
６  つまみ部
７  コイル部
【図１】
2006341053.tif 000003
【図２】
2006341053.tif 000004
【図３】
2006341053.tif 000005
(57)【要約】【課題】  濡れたり汚れたりした衣服や来客者の衣服など、一時的に洋服ダンスの外に引っ掛けておきたい衣服を引っ掛けることができるようにする。【解決手段】  筒１の中に棒２を収納し、衣服を引っかけたい時に棒２を引っ張ると、フック３が引き出されて突出する構造になっている。【選択図】  図１
2006341057.tif 000002
【特許請求の範囲】
【請求項１】
棒２にフック３を取り付けたものを筒１の中に収納し、必要とするときに引き出して使用するフック。
【発明の詳細な説明】
【技術分野】
【０００１】本発明は、出し入れが自由なフックを特徴とし、一時的に洋服ダンスに収納できない濡れた衣服や汚れた衣服などをそのフックに引っ掛けたり、来客者の衣服を引っ掛けたりしておくことを目的としたもの。
【背景技術】
【０００２】従来は、雨で濡れたコートや背広などを引っ掛ける場所に困ることがあった。帰宅後、家の中にそれらの服を持って入ると家の中が汚れてしまう。また来客者の服を引っ掛けておく場所に困ることもある。タバコの臭いなどがついている服などは、外出先から帰ってきてから一時的に洋服ダンスの外に干しておきたいこともある。それらを解決するためにこのフックを発案した。
【発明の開示】
【発明が解決しようとする課題】
【０００３】雨で濡れたコートや背広などを家の中に持って入ると、家の中が濡れたり汚れたりするために、玄関に衣服を干しておきたいことがある。また、来客者の服を引っ掛けておく場所に困ることもある。タバコの臭いなどがついている衣服などは、一時的に洋服ダンスの外に干しておきたいこともある。
【課題を解決するための手段】
【０００４】そのような時に、フックを引き出し、衣服やハンガーに吊るした衣服をそのフックに引っ掛けるなら、家の中が濡れたり汚れたりする心配がなくなる。
【発明の効果】
【０００５】棚や下駄箱に取り付けておけば、帰宅してすぐに、家の中に入るまでにコートや背広などを引っ掛けることができる。フックの部分は、取り付けた棚や下駄箱からは一定の距離があるため、雨などによって家具が汚れたり濡れたりする心配がない。出し入れが自由にできるため、フックを使用していないときに邪魔になることがない。
【発明を実施するための形態】
【０００６】本発明は出し入れが自由なフックであるため、衣服を引っ掛けておきたいときに使用することができ、それを図面にて説明すれば、筒１を棚や下駄箱などに取り付けておき、筒の中に収納している、先端にフックが付いている棒２を引き出すと、フック３が突出する仕組みになっている。筒１を棚や下駄箱などに取り付けるために、底部に両面テープや螺子で留めるための穴を開けておいてもよい。また複数の衣服を引っ掛けるために、二つ以上のフックを棒２に取り付けておくこともできる。
【図面の簡単な説明】
【０００７】棚や下駄箱の上部に取り付けておき、フックを必要とした時に２を引っ張ると、棒に取り付けてあるフックが中から引き出される構造になっている。【図１】本発明の斜視図である。
【図２】本発明の断面図である。
【図３】本発明の側面図である。
【符号の説明】
【０００８】１  筒
２  棒
３  フック
【図１】
2006341057.tif 000003
【図２】
2006341057.tif 000004
【図３】
2006341057.tif 000005
(57)【要約】      （修正有）【課題】運転効率を損ねないエレベータの案内装置を提供する。【解決手段】利用者によるエレベータの利用状況に応じて特殊運転モードの運転を行うエレベータにおいて、エレベータかご内の荷重を検出する検出手段を備え、任意の階床における該検出手段の検出荷重が定格積載荷重の７０％程度の場合のみ、所定内容の音声案内を行う。前記特殊運転モードはＵＰ運転モードであり、前記所定内容の音声は、「もう少し中へお詰め下さい」である。さらに、エレベータかご内の荷重を検出する検出手段と、任意の階床における待ち客の人数を検出する人数検出手段とを備え、該任意の階床における該検出手段の検出荷重が定格積載荷重の７０％程度の場合であって、該人数検出手段による待ち客が全て該エレベータかご内に乗込める場合のみ、所定内容の音声案内を行うようにしてもよい。【選択図】図１
2006341964.tif 000002
【特許請求の範囲】
【請求項１】
利用者によるエレベータの利用状況に応じて特殊運転モードの運転を行うエレベータにおいて、
エレベータかご内の荷重を検出する検出手段を備え、任意の階床における該検出手段の検出荷重が定格積載荷重の７０％程度の場合のみ、所定内容の音声案内を行うことを特徴とするエレベータの案内装置。
【請求項２】
利用者によるエレベータの利用状況に応じて特殊運転モードの運転を行うエレベータにおいて、
エレベータかご内の荷重を検出する検出手段と、任意の階床における待ち客の人数を検出する人数検出手段とを備え、該任意の階床における該検出手段の検出荷重が定格積載荷重の７０％程度の場合であって、該人数検出手段による待ち客が全て該エレベータかご内に乗込める場合のみ、所定内容の音声案内を行うことを特徴とするエレベータの案内装置。
【請求項３】
前記特殊運転モードはＵＰ運転モードであることを特徴とする請求項１又は請求項２に記載のエレベータの案内装置。
【請求項４】
任意の階床は、基準階であることを特徴とする請求項１又は請求項２に記載のエレベータの案内装置。
【請求項５】
前記所定内容の音声は、「もう少し中へお詰め下さい」であることを特徴とする請求項１に記載のエレベータの案内装置。
【請求項６】
前記所定内容の音声は、「もう少し中へお詰め下さい。全員がお乗りになれます。」であることを特徴とする請求項２に記載のエレベータの案内装置。
【発明の詳細な説明】
【技術分野】
【０００１】
本発明は、エレベータの案内装置の改良に関するものである。
【背景技術】
【０００２】
従来のエレベータでは、かご内の積載荷重が最大積載荷重を超えると、ブザーを鳴らして定員オーバーを利用者に報知するようになっている。そこで、エレベータの利用者にとって、見た目に混んでいるような状況の場合、敢えて乗込まずに次のエレベータを待つ人も出て来て、運転効率を損ねるケースも見られる。
【０００３】
このため、図２に示すように、その際の乗込み可能人数を音声案内する装置が提案されている。即ち、乗場呼釦１が操作され、エレベータかご２の扉が開いた状態で、荷重検出器３による検出荷重が最大積載荷重に対して、所定の割合以下まで小さくなった時に、乗込み可能人数を音声合成装置４により音声案内するものである。
【特許文献１】特開平１０−２０６２１８号公報
【発明の開示】
【発明が解決しようとする課題】
【０００４】
仮に、乗場に多数の乗客が存在し、全ての乗客がエレベータかご内に乗込めない状況で、たとえ乗込み可能人数を案内しても、待ち客どうしが顔を見合わせて譲り合ったり、戸惑うことが考えられる。見知らぬ者どうしでは却って、乗込むべきか、譲るべきかを迷うことになり、運転効率を損ねる問題が残った。
【０００５】
本発明は、上記の点に鑑みなされたもので、運転効率を損ねないエレベータの案内装置を提供することを目的とするものである。
【課題を解決するための手段】
【０００６】
本発明は、利用者によるエレベータの利用状況に応じて特殊運転モードの運転を行うエレベータにおいて、
1.任意の階床におけるエレベータかご内の荷重を検出する検出手段を備え、該検出手段の検出荷重が定格積載荷重の７０％程度の場合のみ、所定内容の音声案内を行う。
2.エレベータかご内の荷重を検出する検出手段と、任意の階床における待ち客の人数を検出する人数検出手段とを備え、該任意の階床における該検出手段の検出荷重が定格積載荷重の７０％程度の場合であって、該人数検出手段による待ち客が全て該エレベータかご内に乗込める場合のみ、所定内容の音声案内を行う。
ものである。
【発明の効果】
【０００７】
ある程度混んでいる利用状況の場合だけ、乗場にいる乗客に適切な案内を行うため、たとえ見知らぬ乗客どうしであっても乗場での乗降を迅速に行えるので、運転効率を高めることができるものである。さらに、乗場に存在する乗客の人数を確認した上で、全ての乗客が乗込めるような時にのみ、案内を行えばより乗客にとって親切な案内装置を提供できる。
【発明を実施するための最良の形態】
【０００８】
乗場の待ち客が少人数でかつ、かご内の乗客が７０％程度の込み具合の時のみ、「もう少し中へお詰め下さい。待ち客の方は全員お乗りになれます。」と案内するものである。
【実施例】
【０００９】
以下、本発明の実施例について、図面を用いて説明する。図１は本発明の一実施例を示すフローチャート図である。
【００１０】
先ずたとえば、ＵＰピーク時に基準階の乗場呼釦が押されて、これに応答してエレベータかごが到着し、ドアが開いて乗客が降り始める。その際に、かご内の荷重が計測され、ちょうど７０％程度（６０％〜８０％）の混雑具合であり、乗場には数人しか存在しない、ほぼ全員がかご内に乗込めると予測できるような状況の場合に、「もう少し中へお詰め下さい」と音声案内を行う。尚、たとえば特公平８−１５９８９号公報に示す技術により、乗場での混雑具合、つまり待ち客の人数についてさらに正確に検出し、確実に待ち客全員がかご内に乗込めることを確認した上で、「もう少し中へお詰め下さい。待ち客の方は全員お乗りになれます。」と案内するようにしてもよい。したがって、どのような待ち客であっても、待ち客は全て自然とかご内に乗込めるため、極めて効率の良いエレベータの運転が可能となる。
【００１１】
ここでは、ＵＰピークのモード運転の場合を例に挙げて述べているが、別の特殊モード運転であっても本発明を採用することができるのは明らかである。又、７０％程度の込み具合についても実施例に示す数値に限定されることなく、階床についても基準階に限らない。
【産業上の利用可能性】
【００１２】
極めて限られた状況においてのみ、音声案内を行うようにすれば、極めて自然な人の流れを生み出すことができる。
【図面の簡単な説明】
【００１３】
【図１】本発明の一実施例を示すフローチャート図である。
【図２】従来の案内装置を示す図である。
【符号の説明】
【００１４】
１  乗場呼釦
２  エレベータかご
３   荷重検出器
４  音声合成装置
【図１】
2006341964.tif 000003
【図２】
2006341964.tif 000004
(57)【要約】【課題】  従来の連続記録紙印刷装置においては、長尺に連続した記録用紙のミシン目加工部の貼り付きによる用紙重送が発生するととう問題点があり、本発明は、用紙重送を無くすことを課題とする。【解決手段】  本発明は、長尺に連続した記録用紙を、トラクタを用いて印刷する連続記録紙印刷装置において、用紙搬送経路を変更してミシン目の貼り付きを分離すシャフトを配置し、該シャフトは、複数個所に取り付け位置を変更可能としたことを特徴とする。【選択図】  図３
2006341978.tif 000002
【特許請求の範囲】
【請求項１】
長尺に連続した記録用紙を、トラクタを用いて印刷する連続記録紙印刷装置において、用紙搬送経路を変更してミシン目の貼り付きを分離するシャフトを配置し、該シャフトは、複数個所に取り付け位置を変更可能としたことを特徴とする連続記録紙印刷装置の記録紙重送防止機構。
【請求項２】
前記シャフトは、連続記録紙印刷装置から着脱可能であることを特徴とする請求項１記載の連続記録紙印刷装置の記録紙重送防止機構。
【発明の詳細な説明】
【技術分野】
【０００１】
本発明は、長尺に連続した用紙に記録する連続記録紙印刷装置の記録紙重送防止機構に関係するものである。
【背景技術】
【０００２】
従来の連続記録紙印刷装置を図１で説明する。用紙１は長尺に連続した用紙であり、両縁部には用紙搬送方向に沿って、一定間隔に送り穴が形成されている。用紙１は、主に用紙搬送に用いられるトラクタ２によって、折りたたみ長によりあらかじめ定められた量を搬送し、用紙位置合わせを行う用紙自動装填によって装填され、印刷待機状態となる。
【０００３】
図示されていない上位装置から印刷開始信号が送信されると、用紙搬送方向に回転している感光ドラム３は、帯電器４により所定の電位に帯電され、露光装置５の照射ビームによって感光ドラム３上に静電潜像が形成さる。感光ドラム３上の静電潜像は、現像機６によって反転現像される。回転する感光ドラム３上のトナー像は、リトラクタ８によって感光ドラム３に押し付けられた用紙１に転写器７によって転写される。
【０００４】
トナー像が転写された用紙１はトラクタ２で搬送され、閉じた状態で回転する加熱ロール９と加圧ロール１０によって加熱・加圧搬送されることによって、トナー像が用紙１に定着されスタッカ１１に搬出される。
【０００５】
長尺に連続した用紙１には、用紙の折りたたみ部に印刷面側からミシン目が施されている。このミシン目加工により反印刷面には、図２に示すような用紙の反り１２が発生している。
【０００６】
図２に示すように、従来の印刷装置では、ほぼ垂直方向に用紙を引き上げているため、用紙の反り１２が向かい合う谷折り部１３では、用紙反り１２が貼り付く場合があり、この用紙１の貼り付きにより用紙重送１５が発生することがある。反面用紙の反り１２が、折りたたみの内側となる山折り部１４では用紙の貼り付きは発生しない。
【発明の開示】
【発明が解決しようとする課題】
【０００７】
上記したように、従来の連続記録紙印刷装置においては、ミシン目加工部の用紙の反りが向かい合う谷折り部で用紙の重送が発生するという問題がある。
【０００８】
本発明は、用紙重送を防止するとともに、用紙サイズの変更、及び、用紙装填方向の変更にも対応できるようにすることを目的とする。
【課題を解決するための手段】
【０００９】
長尺に連続した記録用紙を、トラクタを用いて印刷する連続記録紙印刷装置において、用紙搬送経路を変更してミシン目の貼り付きを分離すシャフトを配置し、該シャフトは、複数個所に取り付け位置を変更可能とした。
【発明の効果】
【００１０】
本発明によれば、ミシン目加工部の用紙貼り付きを分離することによって、安定した用紙搬送が可能になるとともに、シャフト位置を変更できることによって、用紙装填方向の違い、及び、用紙サイズの違いにも対応可能である。
【発明を実施するための最良の形態】
【００１１】
図３〜図９を用いて本発明の実施例を説明する。
【００１２】
重送防止装置１６に取り付けたシャフト１７によって、用紙搬送経路を変更し、用紙を斜め方向に引き出すことによって、ミシン目加工部の用紙貼り付きを分離する（図３のＡ部及び図７参照）。
【００１３】
斜め方向への引き出しによって分離できなかった、ミシン目加工部の貼り付きは、用紙の折りたたみミシン目部がシャフト１７を通過する際に折りたたみ方向が反転され、ミシン目加工部の用紙貼り付きを分離する（図３のＢ部及び図８参照）。
【００１４】
シャフト１７通過時の用紙の折りたたみ方向反転によって分離できなかった用紙貼り付きは、シャフト１８を通過する際の２回目の用紙折りたたみ方向反転によって、ミシン目加工部の用紙貼り付きを分離する（図３のＣＢ部及び図９参照）。
【００１５】
シャフト１７、１８は、シャフト取り付けネジ２０を取り外し、予め重送防止装置１６に空けられたネジ穴２１への取り付け位置を変更することによって、用紙装填方向が反転された場合（図４）、及び、用紙サイズが異なる場合（図５、図６）にも対応できる特徴を有している。
【００１６】
また、重送防止装置１６は重送防止装置取り付けネジ１９を取り外すことで、容易に印刷装置本体から取り外せる特徴も有している。
【図面の簡単な説明】
【００１７】
【図１】連続記録紙印刷装置の概略図。
【図２】ミシン目加工部貼り付き概略図。
【図３】本発明重送防止機構の実施例を示す概略図。
【図４】本発明重送防止機構の実施例を示す概略図。
【図５】本発明重送防止機構の実施例を示す概略図。
【図６】本発明重送防止機構の実施例を示す概略図。
【図７】図３のＡ部拡大図。
【図８】図３のＢ部拡大図。
【図９】図３のＣ部拡大図。
【符号の説明】
【００１８】
１は用紙、２はトラクタ、３は感光ドラム、４は帯電器、５は露光装置、６は現像機、７は転写器、８はリトラクタ、９は加熱ロール、１０は加圧ロール、１１はスタッカテーブル、１２は用紙の反り、１３は谷折り部、１４は山折り部、１５は用紙重送、１６は重送防止装置、１７はシャフト、１８はシャフト、１９は取り付けネジ、２０は取り付けネジ、２１は取り付け穴である。
【図１】
2006341978.tif 000003
【図２】
2006341978.tif 000004
【図３】
2006341978.tif 000005
【図４】
2006341978.tif 000006
【図５】
2006341978.tif 000007
【図６】
2006341978.tif 000008
【図７】
2006341978.tif 000009
【図８】
2006341978.tif 000010
【図９】
2006341978.tif 000011
(57)【要約】【課題】  本発明は、用紙搬送経路部の金属部品での用紙の座屈を防止することを課題とする。【解決手段】  本発明は、両面印刷が可能な電子写真式カット紙印刷装置において、ホッパから搬送される用紙と両面印刷機構部から搬送される用紙が合流する合流部を持ち、合流部の用紙搬送路形成部材が金属材料からなる電子写真式カット紙印刷装置において、前記用紙搬送路形成部材の表面にフッ素樹脂含有無電解ニッケルメッキを施すことを特徴とする。【選択図】  図１
2006341977.tif 000002
【特許請求の範囲】
【請求項１】
両面印刷が可能な電子写真式カット紙印刷装置において、ホッパから搬送される用紙と両面印刷機構部から搬送される用紙が合流する合流部を持ち、合流部の用紙搬送路形成部材が金属材料からなる電子写真式カット紙印刷装置において、前記用紙搬送路形成部材の表面にフッ素樹脂含有無電解ニッケルメッキを施すことを特徴とする電子写真式カット紙印刷装置。
【発明の詳細な説明】
【技術分野】
【０００１】
本発明は、両面印刷機構部から搬送される用紙とホッパから搬送される用紙が合流する合流部を持つ電子写真式カット紙印刷装置に関するものである。
【背景技術】
【０００２】
図１を用いて従来の構成を説明する。図示しないホッパから搬送された用紙１は、用紙合流部１０のＡ部から搬送され、タイミングローラ２ａ、２ｂに到達する。また、両面印刷時は両面印刷機構部２０の用紙搬送ローラ２１ａ、２１ｂから送り込まれ用紙２２は用紙合流部１０のＢ部から搬送されタイミングローラ２ａ、２ｂを経てレジストローラ（図示しない）に到達する。用紙合流部１０は用紙搬送路形成部材１１、１２で用紙搬送経路を形成している。用紙合流部１０では用紙が大きく向きを変えるため、用紙は用紙搬送路形成部材部材１１に強くこすられながら搬送される。従って、用紙搬送路形成部材１１がモールド部品の場合用紙により摩耗するため、金属部品を用いる場合がある。
【発明の開示】
【発明が解決しようとする課題】
【０００３】
しかし、金属部品の場合モールド部品より表面の摩擦係数が大きくなるため、両面印刷機構部２０から搬送される用紙に座屈が発生し用紙走行不良が発生する場合があった。
【０００４】
本発明は、用紙の座屈を防止することを目的とする。
【課題を解決するための手段】
【０００５】
上記目的は、金属材料からなる用紙搬送路形成部材部材の表面にフッ素樹脂含有無電解ニッケルメッキを施すことによって達成される。
【発明の効果】
【０００６】
本発明によれば、用紙搬送経路形成部材の表面にフッ素樹脂含有無電解ニッケルメッキを施すことにより、摩擦係数が低減し、用紙の座屈が防止できる。
【発明を実施するための最良の形態】
【０００７】
以下本発明を、実施例により説明する。
【実施例１】
【０００８】
図１において、本発明は、金属材料からなる用紙搬送経路形成部材部材１１の表面に摩擦係数を低減するためにフッ素樹脂含有無電解ニッケルメッキを施してある。フッ素樹脂含有無電解ニッケルメッキを施した部材１１の表面の摩擦係数は、施さない場合と比べて、約１／２の摩擦係数となる。この結果、用紙走行がスムーズとなり、用紙の座屈が防止される。
【０００９】
なお、図１の構成については、前項で説明済みであるの、説明を省略する。
【図面の簡単な説明】
【００１０】
【図１】本発明の電子式カット紙印刷装置の用紙合流部断面図。
【符号の説明】
【００１１】
１は用紙、２はタイミングローラ、１０は用紙合流部、１１は用紙搬送経路形成部材、１２は用紙搬送経路形成部材、２０は両面印刷機構部、２１は用紙搬送ローラである。
【図１】
2006341977.tif 000003
(57)【要約】【課題】軽量構造簡単で低コストまた薄くポケットに入れても違和感が無いペットボトルホルダーで、手で持って携帯する事が出来るペットボトルホルダー、また尚かつ  ペットボトルを腰のベルトに吊り下げて携帯する腰吊下げ型ペットボトルホルダーを提供する。【解決手段】ペットボトルの蓋部にプラスチックからなる吊り下げ具本体１、ペットボトル蓋部の直径より少し縮径させた孔で蓋部に少し固めに押入し冠着させる大きさで、蓋挿込み穴２を押入し冠着させ、手持ち及び腰ベルトに挟み腰吊下げ携帯ができる片４設けて成るものである。【選択図】図１
2006341923.tif 000002
【特許請求の範囲】
【請求項１】
腰ベルトの内側に挟み止める挿込み、及び手で持って携帯する片の上辺にペットボトル蓋部の直径より少し縮径させた孔で蓋部に少し固めに押入し冠着させる大きさとなっている穴を設けたペットボトルホルダー。
【請求項２】
腰ベルトの内側に挟み止める挿込み、及び手で持って携帯する片と蓋挿込み穴の間に携帯し易いようまた蓋を開け易いように折り目を入れ屈曲させた、請求項１に記載のペットボトルホルダー。
【請求項３】
腰ベルトの内側に挟み止める挿込み、及び手で持って携帯する片の上辺に、直径より少し縮径させた孔を設け、その孔芯より離してペットボトルのフランジ部の直径より拡径の孔、両孔が繋がるよう、首部下部直径と同じ大きさで欠切させた、ペットボトルホルダー
【発明の詳細な説明】
【技術分野】
【０００１】本発明は、飲料入りペットボトルに取り付ける事により。腰ベルトの内側に挿し込み、簡単に手で持ち運ぶ事ができる。ペットボトルホルダーに関するものである。
【背景技術】
【０００２】従来、ペットボトルの携帯は、飲料入りペットボトルの蓋部を手で持ち歩く事が多い。
蓋開け部付きの腰吊下げ型ペットボトルホルダーなど開示されている（特許文献１）
飲料入りペットボトルの口部に締着して、ハンドバツク等にワンタッチで、着脱出来るようにしたものがある。（特許文献２）
【特許文献１】特開２００２−１０４４１８号公報
【特許文献２】特開２００１−１９９４４５号公報
【発明の開示】
【発明が解決しようとする課題】
【０００３】しかしながら、上記した背景技術ではペットボトルホルダーは手で持ち運ぶ事ができるが、腰には、吊下げ難い、また腰吊下げ型ペットボトルホルダーはペットボトル使用後、バツク等、物入れ持たない場合、ペットボトルホルダーだけを携帯した場合、シャツ及びズボンのポケットでは収納に不都合で邪魔な場合があった。【０００４】本発明は、以上の点に着目したもので，その目的は軽量構造簡単で薄く、ズボンのポケットやバツクに入れても邪魔になりにくいペットボトルホルダーは提供することにある。
【課題を解決するための手段】
【０００５】前記目的を達成するために、本発明はプラスチックからなるペットボトルホルダー本体に、ペットボトルの首部の形状（蓋部、フランジ部、首部下部）に照合させた直線や円を欠切させ、ペットボトルの首部に挿入、挟装、吊着して、使用する構造を備えたペットボトルホルダーであって。手で持ち運ぶ事ができまた腰吊下げもできることを特徴する。実施形態の一つは蓋部の直径より少し縮径させた孔、蓋挿込み穴孔を設けたことを特徴する。更に他の実施形態はペットボトルの首部下部の直径より少し縮径させた孔と、その孔芯より離してペットボトルのフランジ部の直径より拡径の孔と、両孔が繋がるよう、欠切させたことを特徴とする
【発明の効果】
【０００６】本発明によれば、軽量構造簡単で薄く、ペットボトルホルダー自体の持ち運びが便利である。
また、ペットボトルを手持ち、腰吊下げを簡単に切り替える事が出来簡便である。
【発明を実施するための最良の形態】
【０００７】以下、本発明を実施するための最良の形態を、実施例に基づいて説明する。
【実施例１】
【０００８】最初に、図１を参照しながら。本発明の実施例１を説明する。図１は斜視図、ペットボトルホルダー１は蓋挿込み孔２、蓋を開け易いよう、腰ベルトに挟み易くする為、ペットボトルを吊着し易いよう、折り目を入れ屈曲させた３、手持ち、腰吊下げ挟み込み片４、を備えている、蓋挿込み孔２はペットボトル蓋部の直径より少し縮径させた孔で蓋部に少し固めに押入し冠着させる大きさとなっている。【０００９】本発明は、種々の改変を行って実施することが可能であって、そして本発明はこれ等改変実施されたものにも及ぶものである。
：硬質プラスチックとして、生分解性、光分解性、抗菌剤入り、の各特性を持つプラスチック採用する。
：全体を金属で作る。【００１０】次に、本実施例の作用を説明する。
図３  蓋８に対して、蓋８上部からペットボトルホルダー１を押入し冠着させ片４を手持ち及び腰ベルトに挟み腰吊下げ携帯する。
【実施例２】
【００１１】次に、図２参照しながら、本発明の実施例２を説明する。図２は斜視図、ペットボトルホルダー５は、首部下部１１の直径より少し縮径させた孔８と、その孔芯より離してペットボトルのフランジ部１０の直径より拡径の孔６、両孔が繋がるよう欠切させた７、直径より少し縮径させた欠切させた７、孔８、腰ベルトに挟み易くする為、またペットボトルを吊着し易いよう、折り目を入れ屈曲させた３Ａ，手持ち、腰吊下げ挟み込み片４Ａを備えている。【００１２】次に、本実施例の作用を説明する、本実施例の作用を説明する。
図３、ペットボトルホルダーの孔６をペットボトル上部からフランジ部１０へ落としこみくぐらせ、ペットボトル首部１１を欠切させた７から孔８へと嵌通させる。孔８で狭持し尚且つ吊着して手持ち及び、腰ベルトに挟み易くする為、ペットボトルを吊着し易いよう、折り目を入れ屈曲させてあり、手持ちまたは、腰ベルトに挟み、腰吊下げ携帯する。【００１３】更に、本実施例では上述したように、ペットボトルホルダーの孔６をフランジ部１０の径より拡径に、穿孔してある為、ペットボトルホルダーを腰ベルトに挟み腰吊下げ携帯している時でも、ペットボトルが脱着可能である。
【産業上の利用可能性】
【００１４】本発明によれば、軽量構造簡単で薄いため、安全性も向上する。またまた販売価格も低価格で提供できるのでペットボトルとセツトで販売可能であり、軽量で薄い為ペットボトル使用後邪魔にならず、ハイキング、小規模な山登り、つり、スポーツ観戦、ジョギング等に、利用可能である。
【図面の簡単な説明】
【００１５】
【図１】  本発明の実施例１を示す斜視図である。
【図２】  本発明の実施例２を示す斜視図である
【図３】  ペットボトルの側面図である
【符号の説明】
【００１６】１：本体
２：蓋挿込み孔
３：折り目
３Ａ：折り目
４：手持ち、腰吊下げ挟み込み片
４Ａ：手持ち、腰吊下げ挟み込み片
５：本体
６：フランジ孔
７：欠切孔
８：首部孔
９：蓋
１０：フランジ
１１：首部下部
１２：ペットボトル
【図１】
2006341923.tif 000003
【図２】
2006341923.tif 000004
【図３】
2006341923.tif 000005
(57)【要約】【課題】透明な器の内壁面に色砂で模様を形成する方法において、色砂を透明な器の内壁面に感覚的かつ適宜に落として模様を形成する方法では、意図した模様を形成する事が難しい。また、意図した模様を描いた図面を器の外壁面に貼る方法では、器の内壁面に色砂を付着させ、図面に合わせて微動させるため、時間がかなりかかる。本発明は、意図した模様を形成する困難と、模様を形成させる時間がかかる困難を解決する事を課題とする。【解決手段】透明な器に、模様を外面に描いた筒体を入れて、器の内壁面と筒体の外面との間に空間を設け、その空間に筒体の模様に合わせて色砂を落として、色砂で器の内壁面に筒体と同様の模様を形成する事で解決する。模様を描いた筒体を透明な器に入れる事により、色砂を落とす位置が把握できる。また、器の内壁面と筒体との間の空間を狭めた事で色砂の使用量を少なくでき、かつ色砂を落として模様を形成するため、時間がかからない。【選択図】図２
2006341921.tif 000002
【特許請求の範囲】
【請求項１】
透明な器に、模様を外面に描いた筒体を入れて、器の内壁面と筒体の外面との間に空間を設け、その空間に筒体の模様に合わせて色砂を落として、色砂で器の内壁面に筒体と同様の模様を形成する方法。
【請求項２】
透明な器に、模様を外面に描いた筒体を入れて、器の内壁面と筒体の外面との間に空間を設け、その空間に筒体の模様に合わせて色砂を落として、色砂で器の内壁面に筒体と同様の模様を形成した色砂観賞器。
【発明の詳細な説明】
【技術分野】
【０００１】  本発明は、透明な器の内壁面に、色砂で模様を形成する方法に関するものである。
【背景技術】
【０００２】  従来から、透明な器の内壁面に、色砂を感覚的かつ適宜に落として模様を形成していた。【０００３】  また、透明な器の外壁面に意図する模様の図面を貼って、内壁面に湿らせた色砂を付着させてから、その図面の模様に合わせて色砂を微動させて模様を形成していた。【０００４】
【特許文献１】特開昭６１−２５２１９９号広報
【発明の開示】
【発明が解決しようとする課題】
【０００５】  色砂を感覚的かつ適宜に落とす方法では、色砂を落とす位置が具体的にわからないため、色砂で意図した模様を形成する事が難しい。本発明は、このような透明な器の内壁面に色砂を落として、意図した模様を形成する困難を解決する事を課題とする。【０００６】  また、透明な器の外壁面に意図する模様の図面を貼る方法では、その内壁面に色砂を湿らせて付着させてから図面の模様に合わせて微動させて模様を形成するため、時間がかなりかかる。本発明は、このような模様の図面を使って、透明な器の内壁面に色砂で模様を形成するのに時間がかかる困難を解決する事を課題とする。
【課題を解決するための手段】  この課題を解決するための請求項１の発明は、透明な器に、模様を外面に描いた筒体を入れて、器の内壁面と筒体の外面との間に空間を設け、その空間に筒体の模様に合わせて色砂を落として、色砂で器の内壁面に筒体と同様の模様を形成する事を特徴とする。意図する模様を外面に描いた筒体を透明な器に入れる事により、色砂を落とす位置が把握でき、意図する模様を色砂で形成しやすくなる。また、器の内壁面と筒体の外面との間の空間を狭める事で色砂の使用量を少なくでき、かつ色砂を落として模様を形成するため、時間がかからない。
【発明の効果】
【０００７】  透明な器に色砂で意図する模様を形成しやすくなるため、複数製作しても色砂で形成された模様の相違が少なくなり、模様の品質が安定する。【０００８】  透明な器に色砂で意図する模様を形成しやすくなるため、この技術の熟練者でなくても製作がしやすくなり、製作者が増えて量産がしやすくなる。【０００９】  色砂を落として模様を形成する透明な器の内壁面と筒体と空間が狭いため、比較的高価な色砂の使用量を少なくでき、筒体内部の色砂を安価な無色の砂にする事で、製造原価が抑えられる。【００１０】  色砂を落として模様を形成する透明な器の内壁面と筒体と空間が狭いため、色砂を落とす量が少なくなる分、短時間でできて量産がしやすくなる。【００１１】  透明な器の内壁面に色砂を落として模様を形成する事が、初心者や子供でも意図的に製作しやく、また、模様を形成する色砂と筒体に充填する砂を園芸用の色砂にして植物を水耕栽培として植えられるため、色砂を使った芸術分野と園芸分野の普及の相乗効果がある。
【発明を実施するための最良の形態】
【００１２】  図１のように、筒体の元となる普通紙１Ａの上部に高さ３ｃｍの余白１ａと、右端に幅１ｃｍの余白１ｂをあけて、色砂を落として形成できる意図する模様を、模様の左端と右端とが繋がる様に描き、色鉛筆で色を塗る。【００１３】  図２のように、普通紙１Ａの左端裏面を余白１ｂの上で重ねテープで貼り繋げて筒体１にして、硝子器２の中心線３に合せて入れる。硝子器２の内壁面側と筒体１の外面との空間には、色砂が入る５ｍｍ〜８ｍｍの間隔がある。そして、筒体１の内部にカップ４ａで無着色の砂を筒体１の模様と同じ高さまで充填してから、硝子器２の内壁面側と筒体１の外面との空間に筒体１の模様に合わせてカップ４ｂと４ｃで各色の色砂を落として、硝子器の内壁面に筒体１と同様の模様を形成する。【００１４】  図３のように、硝子器２に色砂６ａと６ｂで模様の形成を完成した後、余白１ａの左右を掴んで筒体１をゆっくり引き抜く。筒体１を引き抜いても、無着色の砂５があるため、色砂６ａと６ｂで形成された模様は、崩れない。
【産業上の利用の可能性】
【００１５】  模様を形成する色砂と筒体内部に充填する無着色の砂を、園芸用の色砂や水耕栽培用土にする事で、植物を植えることができる。そのため、色砂の模様と植物の両方を楽しむ水耕栽培用色砂観賞器として、産業上の利用の可能性がある。
【図面の簡単な説明】
【００１６】
【図１】筒体の元となる普通紙を展開した図
【図２】硝子器に筒体を入れた図
【図３】色砂の模様が完成した図
【符号の説明】
【００１７】１Ａ  筒体の元となる普通紙
１ａ  筒体の元となる普通紙１Ａの上部の余白
１ｂ  筒体の元となる普通紙１Ａの右端の余白
１    筒体
２    硝子器。
３    硝子器２の中心線
４ａ  無着色の砂を入れるためのプラスチック製のカップ
４ｂ  色砂６ａを入れるためのプラスチック製のカップ
４ｃ  色砂６ｂを入れるためのプラスチック製のカップ
５    無着色の砂
６ａ  色砂
６ｂ  色砂
【図１】
2006341921.tif 000003
【図２】
2006341921.tif 000004
【図３】
2006341921.tif 000005
【手続補正書】
【提出日】平成18年8月7日(2006.8.7)
【手続補正１】
【補正対象書類名】特許請求の範囲
【補正対象項目名】請求項１
【補正方法】変更
【補正の内容】
【請求項１】
色砂観賞器の透明な器に色砂で模様を形成する方法において、透明な器に、模様を外面に描いた筒体を入れて、器の内壁面と筒体の外面との間に空間を設け、その空間に筒体の模様に合わせて色砂を落として、色砂で器の内壁面に筒体と同様の模様を形成する方法。
(57)【要約】【課題】  本発明の課題は、インクジェット記録装置のインク噴出部から印字ヘッド先端までの距離を短縮し、印字の高速高品位化を図ることにある。【解決手段】  前記課題は、印字ヘッドのカバー部材に、ガターか、あるいはガターを取り付ける部材との干渉を防ぐための穴を備え、カバー部材の内壁を含む平面上にガターが存在する構造にすることで達成され、本発明によれば、インク噴出部から印字ヘッド先端部までの距離を短縮することができる。【選択図】  図４
2006341529.tif 000002
【特許請求の範囲】
【請求項１】
インク噴出部と、このインク噴出部より噴出されるインク粒子を帯電させる帯電電極と、帯電されたインク粒子に偏向力を与える偏向部と、印字に使用されないインク粒子を捕えるインク捕集用の開口部を有するガターと、前記偏向力により偏向され印字に使用されるインク粒子が通過するための穴を有するカバー部材を備えた印字ヘッドを有するインクジェット記録装置において、
前記カバー部材のインク粒子が通過するための穴を有する面と同一面上に、ガターか、あるいはガターを取り付けるベース部材との干渉を防ぐための穴を備えたことを特徴としたインクジェット記録装置。
【請求項２】
請求項１に記載のインクジェット記録装置において、
前記カバー部材のインク粒子が通過するための穴を有する面と同一面上に、前記インク粒子が通過するための穴と、ガターか、あるいはガターを取り付けるベース部材との干渉を防ぐための穴とが、一体の穴を形成することを特徴としたインクジェット記録装置。
【請求項３】
請求項１、２のいずれかに記載のインクジェット記録装置において、
前記カバー部材のインク粒子が通過するための穴を有する部材の内壁面を含む平面上に、前記ガターか、あるいはガターを取り付ける部材が存在することを特徴としたインクジェット記録装置。
【発明の詳細な説明】
【技術分野】
【０００１】
本発明は帯電制御式インクジェット記録装置に関し、特にインク噴出部を備える印字ヘッドの構造、構成に関するものである。
【背景技術】
【０００２】
従来のインクジェット記録装置は、印字ヘッドのカバー部材の内壁がガターと接触しているか、もしくは内壁面と垂直方向に一定の距離を隔てていた。そのため、インク噴出部から印字ヘッド先端までの距離の中に、少なくともカバー部材の板厚分を加算する必要があった。
【０００３】
インクジェット記録装置は、印字の高速高品位化を図るためには、インク噴出部から被印字物までのインク粒子の飛行距離の短縮が必要であり、そのためにはインク噴出部から印字ヘッド先端までの距離を短縮する必要がある。本課題を解決するためには、ガターのインク粒子飛行方向の長さを短縮することが挙げられるが、特開平１０−２０２９０５号公報に示されるように、ガターのインク粒子飛行方向の長さを短くしていくと、インクの淀みとガター入口部との距離が近くなるため、ガター入口部に流入したインクが回収されずに溢れてしまう問題があった。
【０００４】
【特許文献１】特開平１０−２０２９０５号公報
【発明の開示】
【発明が解決しようとする課題】
【０００５】
本発明の目的は、ガターのインク飛行方向の長さに関わらず、インク噴出部から印字ヘッド先端部までの距離を短縮することにある。
【課題を解決するための手段】
【０００６】
本発明では、印字ヘッドのカバー部材にガターとの干渉を避ける穴を設け、カバー部材の内壁を含む平面上にガターが存在するような構造にすることで、少なくともカバー部材の板厚分を、インク噴出部から印字ヘッド先端までの距離に加算する必要がなくなり、インク噴出部から印字ヘッド先端までの距離を短縮することができる。
【発明の効果】
【０００７】
本発明によれば、次に述べるような効果を発揮する。
【０００８】
請求項１、２に記載の発明によれば、ガターか、あるいはガターを取り付けるベース部材とカバー部材が干渉することを避けることができ、干渉による部材の歪みや、あるいはカバー部材の不完全な取り付け状態になることを防ぐことができる。
【０００９】
請求項３に記載の発明によれば、インク噴出部から印字ヘッド先端部までの距離を短縮することができ、これにより印字の高速高品位化を図ることができる。
【発明を実施するための最良の形態】
【００１０】
以下、本発明の一実施形態を図を参考に説明する。
【００１１】
まず、図１に本発明に関わるインクジェット記録装置の概略図を示す。制御系や循環系を収納した本体５１と、インク噴出部を有する印字ヘッド５２と、本体５１と印字ヘッド５２を結ぶケーブル５３で構成されている。本体５１にはタッチパネル式液晶パネル５４が備えられておりユーザによる印字内容や印字仕様等の入力、及び装置運転状況や制御内容の表示を可能にしている。
【００１２】
図２は、印字ヘッドのカバー部材を除いた概略図である。図２に示すように、インク噴出部１から噴出されたインク粒子２は、帯電電極３により印字内容に従って荷電され、偏向電極４の間にある静電偏向場を通過する時に偏向され、印字に使用される。帯電電極３により荷電されないインク粒子は、偏向電極４によって偏向されず、ガター５aの開口部に流入し、回収され再利用される。
【００１３】
図３は印字ヘッドのカバー部材の概略図である。図３に示すように、印字ヘッドのカバー部材には、印字に使用されるインク粒子が通過するための穴６を有する面７と同一面上に、ガターとガターを取り付けるベース部材との干渉を避ける穴８を有している。
【００１４】
図４は、印字ヘッドにカバー部材を取り付けた概略図である。図４に示すように、カバー部材９aの内壁面９bを含む平面上にガター５a、及びガターを取り付けるベース部材５bが存在しており、それによりインク噴出部１から印字ヘッド先端１０までの距離を短縮している。
【図面の簡単な説明】
【００１５】
【図１】インクジェット記録装置の概略図である。
【図２】カバー部材を除いた印字ヘッド概略図である。
【図３】印字ヘッドのカバー部材の概略図である。
【図４】カバー部材を取り付けた印字ヘッドの概略図である。
【符号の説明】
【００１６】
１…インク噴出部、２…インク粒子、３…帯電電極、４…偏向電極、５a…ガター、５b…ガターを取り付けるベース部材、６…インク粒子が通過するための穴、７…印字に使用されるインク粒子が通過するための穴を有する面、８…ガターかあるいはガターを取り付ける部材との干渉を避けるための穴、９a…印字ヘッドのカバー部材、９b…カバー部材の内壁面、１０…印字ヘッド先端、５１…本体、５２…印字ヘッド、５３…ケーブル、５４…タッチパネル式液晶パネル。
【図１】
2006341529.tif 000003
【図２】
2006341529.tif 000004
【図３】
2006341529.tif 000005
【図４】
2006341529.tif 000006
(57)【要約】【課題】  従来の黒板消しでは拭き取る時に白墨の粉がこぼれ落ちて良く拭き取れなかったり、まわりが汚れました。【解決手段】  黒板消しを電気掃除機につなぎ、掃除機の吸引力を利用する事により白墨の粉が飛び散る事もなく、きれいに消す事ができます。【選択図】  図１
2006341580.tif 000002
【特許請求の範囲】
【請求項１】
黒板消しを電気掃除機につなぎ、掃除機の吸引力を利用して黒板に画いた字や絵等黒板の白墨のあとを消す。
【請求項２】
黒板消しの構造
黒板消しを掃除機からのホースの先端に取り付け、掃除機の吸引力を利用した黒板消し。
【発明の詳細な説明】
【技術分野】
【０００１】  従来の黒板消しは消す際に白墨の粉が飛び散り、健康に悪影響を及ぼし、掃除も大変です。
【発明の開示】
【発明が解決しようとする課題】
【０００２】  黒板に画いた白墨が消え、健康に及ぼす悪影響を防止し、掃除が楽になります。
【産業上の利用可能性】
【０００３】  黒板に画いた白墨が楽に消せる為、黒板の利用が増える。
【図面の簡単な説明】
【０００４】
【図１】  黒板消しを電気掃除機につないだ全体の略図
【図２】  黒板消しの断面図
【符号の説明】
【０００５】１  電気掃除機
２  黒板消し
３  布
４  弾力のある繊維
５  ホース
【図１】
2006341580.tif 000003
【図２】
2006341580.tif 000004
(57)【要約】【課題】自然の積雪に何もせず模様や造形物を作り出す発明。【解決手段】雪の溶けやすい材質と溶けにくい材質を利用し、地面などにその材質を仕組ませる。その上に雪が積もると模様や字、絵画、造形物が浮かび上がる。【特許請求の範囲】
【請求項１】
雪が解けにくい材質と溶けやすい材質をつかい、雪が積もったとき、その性質を利用して人工的な模様や造形物をつくりだす方法。
【発明の詳細な説明】
【技術分野】
【０００１】雪の溶けやすい材質と溶けにくい材質を利用して自然積雪に模様や造形物を作り出す発明である。
【背景技術】
【０００２】アスファルトの上に落ちる雪はあっという間に溶けたり、土の上に落ちた雪はしばらく残ったりする。材質によって積雪の量は違ってくる。これを利用して芸術的表現ができないかということを考えてこの発明を考案した。
【発明の開示】
【発明が解決しようとする課題】
【０００３】
【課題を解決するための手段】
【０００４】
【発明の効果】
【０００５】たとえば町や公園のオブジェとしてこの発明を利用するとか、宣伝、広告として利用するとか方法はいろいろある。芸術としても発展させられる。
(57)【要約】【課題】 時に生れる発想など、落し書きした断片的なメモ(文やイメージ)を保護し、埋もらすことなく後日につなぐための、管理手段となるファイルを得る。【解決手段】書類を表紙の内側に保持するための手段をもつ他に、綴じ穴をもった書類を、表紙外側面に綴じ付けるための手段、あるいは、その仕掛け(綴じ穴)をもつものとした。【選択図】図１
2006341513.tif 000002
【特許請求の範囲】
【請求項１】
連関する「おもて表紙」と「うら表紙」からなる。書類を表紙の内側に保持するための手段をもつ他に、綴じ穴をもった書類を、表紙外側面に綴じ付けるための手段、あるいは、その仕掛けをもつ。以上の如き構成からなるファイル。
【請求項２】
クリアーファイルや紙片など綴じ穴をもった薄片と、請求項１記載のファイルとの組み合せ(あるいは綴じ合せ)。
【発明の詳細な説明】
【技術分野】
【０００１】
本発明は、ファイル、並びに、組み合せ(綴じ合せ)に関するものである。
【０００２】
断片的な発想などを落し書きしたメモ(文やイメージ)は、その時点で見出しを付けたり、あるいは標題を付けたりして管理することは難しい。更には、それらの大切なメモを見失うことなく管理することも難しい。
【０００３】
このような場合に、そのメモをクリアーファイルに挟み込み、そのまま別のファイル(表紙の内側に書類を保持できるファイル)の表紙外側面に、「見出し」あるいは「見分け」として、簡単に綴じ付けておくことができたら便利である。
【０００４】
この発明は、そのような使い方ができるものとするために、綴じ穴をもったクリアーファイルを、表紙外側面に綴じ付けできるものとしたファイルについてのものである。
【背景技術】
【０００５】
従来、表紙外側面に紙片状のものを保持する手段をもつものとして、表紙外側面に紙片を挟んで保持するためのクリップを固着し、表紙を筆記板として使用できるようにしたことを特徴とした筆記板付きファイル(実用新案登録番号第３０５２３２７号)がある。
【０００６】
しかしながら、その表紙は、所定の厚みをもつ固い仕上りを要するもので、書き台に使用するとした目的以外では使い勝手が悪い。また、クリップによる保持は、簡単に付け外しできる良さはあるが、仮留めの手段であることは否めず、ファイルしたものが簡単に外せたり、外れたりする。
【０００７】
【特許文献１】実用新案登録番号第３０５２３２７号、公開実用昭和４９−１０１６
【発明の開示】
【発明が解決しようとする課題】
【０００８】
メモを挟み入れたクリアーファイルを、ファイルの表紙外側面に、「見出し」あるいは「見分け」になるような形で、綴じ付けできるものとしたい。
【課題を解決するための手段】
【０００９】
本発明のファイルは、書類を表紙の内側に保持するための手段をもつ他に、綴じ合せの穴(綴じ穴)をもった書類を、表紙外側面に綴じ付けるための手段、あるいは、その仕掛けをもつとしたことである。
【００１０】
日常、普通に使用しているファイルが、必要により、上記の目的のために使用できるものであれば、それも便利さの１つである。このことから、本発明のファイルは、綴じ付けの備え(仕掛け)として、綴じ合せの穴(綴じ穴)を設けただけのものも請求の範囲とした。この場合、当然その目的のための使用に当たってはファスナーを付け合せることになる。
【００１１】
綴じ穴は、円い穴に限らず、線状に切れ込みを入れたものでも良い、綴じ穴として切れ込みを設けたものの場合、そこに綴じ穴があることが分かり難いので、切れ込みに○印などで囲んでおくと良い。
【発明の効果】
【００１２】
１、一定の嵩をもつファイルに綴じ付けることで断片的なメモを見失うことがない
ようにできるものとなった。
２、内容を識別しやすいかたちで管理できるものとなった。
３、追加のメモをファイル内部に保持していくことができるものとなった。
【発明を実施するための最良の形態】
【００１３】
ファイル自体(表紙)としては、やや軟らかめの中厚紙を使用した軽粗なものが手軽で扱い易い。
【００１４】
綴じ付けの手段、あるいは、その仕掛けは、おもて表紙の背側寄りに沿った位置が良い。図１に示すファイルは、綴じ付けの仕掛けとして綴じ穴を設けたものである。図２に示すファイルは、綴じ付けの手段として綴じ穴にファスナーを組み付けたものである。
【００１５】
表紙外側面に綴じ付けるための手段、あるいは、その仕掛けとしては、図２あるいは図１に示す如く、できるだけ単純あるいは軽微なものが良い。因みに、綴じ付けの手段、あるいは、その仕掛けについて特定するものではない。
【００１６】
本発明のファイル(の表紙外側面)に綴じ合せるクリアーファイルは、透明な四辺形のフィルムを中央から折り曲げて重ね合せ、略封筒状にしたもので、従来からクリアーファイルとして、一般的に単独で使用されている張りをもったものに、綴じ穴を設けた(公開実用、昭和４９−１０１６の如き)ものが良い。
【００１７】
因みに、クリアーファイルが、ファイルの内側(内部)に頁として綴じ込み、めくり見る如きに使用する張りをもたない(ルーズに折り曲ってしまう)ものの場合、ファイルの表紙外側面に綴じ合せても、表紙面からめくれる如きに遊離してしまい、表紙面に張り付いたかたちでの「見出し」あるいは「見分け」として使用する目的に適うものにならない。
【産業上の利用可能性】
【００１８】
日頃、研究や開発を行っている人は、常時、問題の解決のために考えをめぐらせている。その折々に、あらたなテーマになるような様々な発想が生れる。それらは断片的であるために見失い、あるいは置き去りになってしまうことも多い。そのようなことを防ぐための便利を提供できるものである。
【００１９】
断片的なメモに限らず、会議や講習会の議題やテーマ、あるいは次第書きなど表題が書かれた紙片をそのままクリアーファイルに差し挟み、ファイルの「見出し」あるいは「見分け」とし、関係資料を内に保持して管理するなどにも利用することができる。
【図面の簡単な説明】
【００２０】
【図１】本発明のファイルについて実施形態を示す斜視図である。
【図２】本発明のファイルについて実施形態を示す斜視図である。
【符号の説明】
【００２１】
Ａ       ファイル
Ａa      表紙の外面(外側面)
Ａb      綴じ穴
Ｂ       ファスナー
【図１】
2006341513.tif 000003
【図２】
2006341513.tif 000004